(57)【要約】  本発明は情報決定方法及び装置、コンピュータ記憶媒体を開示し、前記方法は、第１端末は第１パラメータ信号の数がＮであることを決定し、Ｎが正の整数であることと、前記第１端末が第２端末に制御チャネル及びＮ個の前記第１参照信号を送信し、前記制御チャネルは前記第２端末が前記第１パラメータ信号の数が前記Ｎであることを決定し、それによりＮ個のチャネルを介してそれぞれＮ個の前記第１参照信号を受信することに用いられることと、を含む。
2021516879.tif 000002
【特許請求の範囲】
【請求項１】
情報決定方法であって、
第１端末は第１パラメータ信号の数がＮであることを決定し、Ｎが正の整数であることと、
前記第１端末が第２端末に制御チャネル及びＮ個の前記第１参照信号を送信し、前記制御チャネルは前記第２端末が前記第１パラメータ信号の数が前記Ｎであることを決定し、それによりＮ個のチャネルを介してそれぞれＮ個の前記第１参照信号を受信することに用いられることと、を含む情報決定方法。
【請求項２】
前記方法は更に、
前記第１端末が第１対応関係に基づいて、前記Ｎの値に対応する第１スクランブル情報を決定することと、
前記第１端末が前記第１スクランブル情報を利用して前記制御チャネルに対してスクランブル処理を行うことと、を含み、
前記制御チャネルに対応する前記第１スクランブル情報は、前記第１パラメータ信号の数が前記Ｎであることを決定することに用いられる請求項１に記載の方法。
【請求項３】
前記方法は更に、
前記第１端末は予め設定された情報又はネットワークにより設定された情報に基づいて、前記第１対応関係を決定することを含む請求項２に記載の方法。
【請求項４】
前記方法は更に、
前記第１端末が第２対応関係に基づいて、前記Ｎの値に対応する第１マスク情報を決定することと、
前記第１端末が前記第１マスク情報を利用して前記制御チャネルに対してマスキング処理を行うことと、を含み、
前記制御チャネルに対応する前記第１マスク情報は、前記第１パラメータ信号の数が前記Ｎであることを決定することに用いられる請求項１に記載の方法。
【請求項５】
前記方法は更に、
前記第１端末は予め設定された情報又はネットワークにより設定された情報に基づいて、前記第２対応関係を決定することを含む請求項４に記載の方法。
【請求項６】
前記方法は更に、
前記第１端末が第３対応関係に基づいて、前記Ｎの値に対応する第１コーデック情報を決定することと、
前記第１端末が前記第１コーデック情報を利用して前記制御チャネルに対して符号化処理を行うことと、を含み、
前記制御チャネルに対応する前記第１コーデック情報は、前記第１パラメータ信号の数が前記Ｎであることを決定することに用いられる請求項１に記載の方法。
【請求項７】
前記第１コーデック情報は、復調用参照信号（ＤＭＲＳ）シーケンス、循環シフト、直交カバーコード（ＯＣＣ）シーケンス、ルートシーケンスのうちの少なくとも１つを含む請求項６に記載の方法。
【請求項８】
前記方法は更に、
前記第１端末は予め設定された情報又はネットワークにより設定された情報に基づいて、前記第３対応関係を決定することを含む請求項６又は７に記載の方法。
【請求項９】
前記制御チャネルは前記第１パラメータ信号の数が前記Ｎであることを決定するための第１指示情報を含む請求項１に記載の方法。
【請求項１０】
前記第１端末が第１パラメータ信号の数がＮであることを決定することは、
前記第１端末は予め設定された情報又はネットワークにより設定された情報に基づいて、前記第１パラメータ信号の数がＮであることを決定することを含む請求項１〜９のいずれか１項に記載の方法。
【請求項１１】
前記第１端末の制御チャネルと前記第１参照信号との間の伝送リソースは時分割される請求項１〜１０のいずれか１項に記載の方法。
【請求項１２】
情報決定方法であって、
第２端末は第１端末から送信された第１パラメータ信号の数がＮであることを決定し、Ｎが正の整数であることと、
前記第２端末がＮ個のチャネルを介してそれぞれ前記第１端末から送信されたＮ個の前記第１参照信号を受信し、異なるチャネル間の伝送リソースが時分割されることと、を含む情報決定方法。
【請求項１３】
前記第２端末が第１端末から送信された第１パラメータ信号の数がＮであることを決定することは、
前記第２端末は前記第１端末から送信された制御チャネルを受信し、前記制御チャネルに基づいて前記第１端末から送信された第１パラメータ信号の数がＮであることを決定し、Ｎが正の整数であることを含む請求項１２に記載の方法。
【請求項１４】
前記第２端末が第１端末から送信された制御チャネルを受信し、前記制御チャネルに基づいて前記第１端末から送信された第１パラメータ信号の数がＮであることを決定することは、
前記第２端末が前記第１端末から送信された制御チャネルを受信し、第１コーデック情報を利用して前記制御チャネルに対して復号化処理を行うことと、
前記第２端末が第３対応関係に基づいて、前記第１コーデック情報に対応するＮの値を前記第１パラメータ信号の数として決定することと、を含む請求項１３に記載の方法。
【請求項１５】
前記第１コーデック情報は、ＤＭＲＳシーケンス、循環シフト、ＯＣＣシーケンス、ルートシーケンスのうちの少なくとも１つを含む請求項１４に記載の方法。
【請求項１６】
前記方法は更に、
前記第２端末は予め設定された情報又はネットワークにより設定された情報に基づいて、前記第３対応関係を決定することを含む請求項１４又は１５に記載の方法。
【請求項１７】
前記第２端末が第１端末から送信された制御チャネルを受信し、前記制御チャネルに基づいて前記第１端末から送信された第１パラメータ信号の数がＮであることを決定することは、
前記第２端末が前記第１端末から送信された制御チャネルを受信し、第１マスク情報を利用して前記制御チャネルに対してデマスキング処理を行うことと、
前記第２端末が第２対応関係に基づいて、前記第１マスク情報に対応するＮの値を前記第１パラメータ信号の数として決定することと、を含む請求項１３に記載の方法。
【請求項１８】
前記方法は更に、
前記第２端末は予め設定された情報又はネットワークにより設定された情報に基づいて、前記第２対応関係を決定することを含む請求項１７に記載の方法。
【請求項１９】
前記第２端末が第１端末から送信された制御チャネルを受信し、前記制御チャネルに基づいて前記第１端末から送信された第１パラメータ信号の数がＮであることを決定することは、
前記第２端末が前記第１端末から送信された制御チャネルを受信し、第１スクランブル情報を利用して前記制御チャネルに対してデスクランブル処理を行うことと、
前記第２端末が第１対応関係に基づいて、前記第１スクランブル情報に対応するＮの値を前記第１パラメータ信号の数として決定することと、を含む請求項１３に記載の方法。
【請求項２０】
前記方法は更に、
前記第２端末は予め設定された情報又はネットワークにより設定された情報に基づいて、前記第１対応関係を決定することを含む請求項１９に記載の方法。
【請求項２１】
前記第２端末が第１端末から送信された制御チャネルを受信し、前記制御チャネルに基づいて前記第１端末から送信された第１パラメータ信号の数がＮであることを決定することは、
前記第２端末が前記第１端末から送信された制御チャネルを受信し、前記制御チャネルから第１指示情報を取得することと、
前記第２端末が前記第１指示情報に基づいて、前記第１パラメータ信号の数を決定することと、を含む請求項１３に記載の方法。
【請求項２２】
前記第２端末が第１端末から送信された第１パラメータ信号の数がＮであることを決定することは、
前記第２端末は予め設定された情報又はネットワークにより設定された情報に基づいて、第１端末から送信された第１パラメータ信号の数がＮであることを決定することを含む請求項１２に記載の方法。
【請求項２３】
情報決定装置であって、
第１パラメータ信号の数がＮであることを決定することに用いられ、Ｎが正の整数である決定ユニットと、
第２端末に制御チャネル及びＮ個の前記第１参照信号を送信することに用いられ、前記制御チャネルは前記第２端末が前記第１パラメータ信号の数が前記Ｎであることを決定し、それによりＮ個のチャネルを介してそれぞれＮ個の前記第１参照信号を受信することに用いられる送信ユニットと、を備える情報決定装置。
【請求項２４】
前記決定ユニットは更に、第１対応関係に基づいて、前記Ｎの値に対応する第１スクランブル情報を決定することに用いられ、
前記装置は更に、前記第１スクランブル情報を利用して前記制御チャネルに対してスクランブル処理を行うことに用いられる第１処理ユニットを備え、
前記制御チャネルに対応する前記第１スクランブル情報は前記第１パラメータ信号の数が前記Ｎであることを決定することに用いられる請求項２３に記載の装置。
【請求項２５】
前記決定ユニットは更に、予め設定された情報又はネットワークにより設定された情報に基づいて、前記第１対応関係を決定することに用いられる請求項２４に記載の装置。
【請求項２６】
前記決定ユニットは更に、第２対応関係に基づいて、前記Ｎの値に対応する第１マスク情報を決定することに用いられ、
前記装置は更に、前記第１マスク情報を利用して前記制御チャネルに対してマスキング処理を行うことに用いられる第２処理ユニットを備え、
前記制御チャネルに対応する前記第１マスク情報は前記第１パラメータ信号の数が前記Ｎであることを決定することに用いられる請求項２３に記載の装置。
【請求項２７】
前記決定ユニットは更に、予め設定された情報又はネットワークにより設定された情報に基づいて、前記第２対応関係を決定することに用いられる請求項２６に記載の装置。
【請求項２８】
前記決定ユニットは更に、第３対応関係に基づいて、前記Ｎの値に対応する第１コーデック情報を決定することに用いられ、
前記装置は更に、前記第１コーデック情報を利用して前記制御チャネルに対して符号化処理を行うことに用いられる第３処理ユニットを備え、
前記制御チャネルに対応する前記第１コーデック情報は前記第１パラメータ信号の数が前記Ｎであることを決定することに用いられる請求項２３に記載の装置。
【請求項２９】
前記第１コーデック情報は、ＤＭＲＳシーケンス、循環シフト、ＯＣＣシーケンス、ルートシーケンスのうちの少なくとも１つを含む請求項２８に記載の装置。
【請求項３０】
前記決定ユニットは更に、予め設定された情報又はネットワークにより設定された情報に基づいて、前記第３対応関係を決定することに用いられる請求項２８又は２９に記載の装置。
【請求項３１】
前記制御チャネルは前記第１パラメータ信号の数が前記Ｎであることを決定するための第１指示情報を含む請求項２３に記載の装置。
【請求項３２】
前記決定ユニットは、予め設定された情報又はネットワークにより設定された情報に基づいて、前記第１パラメータ信号の数がＮであることを決定することに用いられる請求項２３〜３１のいずれか１項に記載の装置。
【請求項３３】
前記第１端末の制御チャネルと前記第１参照信号との間の伝送リソースは時分割される請求項２３〜３２のいずれか１項に記載の装置。
【請求項３４】
情報決定装置であって、
第１端末から送信された第１パラメータ信号の数がＮであることを決定することに用いられ、Ｎが正の整数である決定ユニットと、
Ｎ個のチャネルを介してそれぞれ前記第１端末から送信されたＮ個の前記第１参照信号を受信することに用いられ、異なるチャネル間の伝送リソースが時分割される受信ユニットと、を備える情報決定装置。
【請求項３５】
前記受信ユニットは更に、前記第１端末から送信された制御チャネルを受信することに用いられ、
前記決定ユニットは、前記制御チャネルに基づいて前記第１端末から送信された第１パラメータ信号の数がＮであることを決定することに用いられ、Ｎが正の整数である請求項３４に記載の装置。
【請求項３６】
前記装置は更に、
第１コーデック情報を利用して前記制御チャネルに対して復号化処理を行うことに用いられる第１処理ユニットを備え、
前記決定ユニットは、第３対応関係に基づいて、前記第１コーデック情報に対応するＮの値を前記第１パラメータ信号の数として決定することに用いられる請求項３５に記載の装置。
【請求項３７】
前記第１コーデック情報は、ＤＭＲＳシーケンス、循環シフト、ＯＣＣシーケンス、ルートシーケンスのうちの少なくとも１つを含む請求項３６に記載の装置。
【請求項３８】
前記決定ユニットは更に、予め設定された情報又はネットワークにより設定された情報に基づいて、前記第３対応関係を決定することに用いられる請求項３６又は３７に記載の装置。
【請求項３９】
前記装置は更に、
第１マスク情報を利用して前記制御チャネルに対してデマスキング処理を行うことに用いられる第２処理ユニットを備え、
前記決定ユニットは、第２対応関係に基づいて、前記第１マスク情報に対応するＮの値を前記第１パラメータ信号の数として決定することに用いられる請求項３５に記載の装置。
【請求項４０】
前記決定ユニットは更に、予め設定された情報又はネットワークにより設定された情報に基づいて、前記第２対応関係を決定することに用いられる請求項３９に記載の装置。
【請求項４１】
前記装置は更に、
第１スクランブル情報を利用して前記制御チャネルに対してデスクランブル処理を行うことに用いられる第３処理ユニットを備え、
前記決定ユニットは、第１対応関係に基づいて、前記第１スクランブル情報に対応するＮの値を前記第１パラメータ信号の数として決定することに用いられる請求項３５に記載の装置。
【請求項４２】
前記決定ユニットは更に、予め設定された情報又はネットワークにより設定された情報に基づいて、前記第１対応関係を決定することに用いられる請求項４１に記載の装置。
【請求項４３】
前記装置は更に、
前記制御チャネルから第１指示情報を取得することに用いられる取得ユニットを備え、
前記決定ユニットは、前記第１指示情報に基づいて、前記第１パラメータ信号の数を決定することに用いられる請求項３５に記載の装置。
【請求項４４】
前記決定ユニットは、予め設定された情報又はネットワークにより設定された情報に基づいて、第１端末から送信された第１パラメータ信号の数がＮであることを決定することに用いられる請求項３４に記載の装置。
【請求項４５】
コンピュータ記憶媒体であって、コンピュータ実行可能命令が記憶され、該コンピュータ実行可能命令がプロセッサにより実行されるとき、請求項１〜１１のいずれか１項に記載の方法ステップ、又は請求項１２〜２２のいずれか１項に記載の方法ステップを実現するコンピュータ記憶媒体。
【発明の詳細な説明】
【技術分野】
【０００１】
本発明は無線通信技術分野に関し、特に情報決定方法及び装置、コンピュータ記憶媒体に関する。
【背景技術】
【０００２】
車両インターネットシステムはロングタームエボリューション（ＬＴＥ、Ｌｏｎｇ  Ｔｅｒｍ  Ｅｖｏｌｕｔｉｏｎ）−端末間（Ｄ２Ｄ、Ｄｅｖｉｃｅ  ｔｏ  Ｄｅｖｉｃｅ）に基づくサイドリンク（ＳＬ、Ｓｉｄｅｌｉｎｋ）伝送技術を用い、従来のＬＴＥシステムにおける基地局によって通信データを送受信する方式と異なり、車両インターネットシステムは端末間直接通信の方式を用いるため、より高いスペクトル効率及びより低い伝送遅延を有する。
【０００３】
第３世代の移動体通信システムの標準化プロジェクト（３ＧＰＰ、ｔｈｅ  ３ｒｄ  Ｇｅｎｅｒａｔｉｏｎ  Ｐａｒｔｎｅｒｓｈｉｐ  Ｐｒｏｊｅｃｔ）Ｒｅｌ−１４において車両インターネット技術（Ｖ２Ｘ、Ｖｅｈｉｃｌｅ−ｔｏ−Ｅｖｅｒｙｔｈｉｎｇ）を標準化し、モード３及びモード４の２つの伝送モードを定義した。モード３において、端末の伝送リソースが基地局により割り当てられる。モード４において、端末がセンシング（ｓｅｎｓｉｎｇ）＋予約（ｒｅｓｅｒｖａｔｉｏｎ）の方式を用いて伝送リソースを決定する。
【０００４】
新無線（ＮＲ、Ｎｅｗ  Ｒａｄｉｏ）−Ｖ２Ｘにおいて、自動運転をサポートする必要があるため、車両間のデータ交換に対して、より高い要求、例えばより高いスループット、より低い遅延、より高い信頼性、より広いカバレッジ範囲、より柔軟なリソース割り当て等を提出する。上記要求を満足するために、ＮＲ−Ｖ２Ｘにマルチアンテナ伝送技術を導入する必要があり、マルチアンテナ伝送技術において、ビームフォーミング（Ｂｅａｍｆｏｒｍｉｎｇ）によってカバレッジ範囲及び信頼性を向上させることができ、データ送信側がどのように複数の候補ビームから最適なビームを選択するかは、以下の方式で実現される。
【０００５】
方式１
送信側はビーム走査を行ってそれぞれ異なるビームを利用して伝送し、受信側はそれぞれ各ビームを介して伝送したデータを受信することで、１つの伝送品質の最適なビームを最適なビームとして選択して、該ビームのインデックス値を送信側にフィードバックし、後続のデータ伝送において、送信側は該最適なビームを利用してデータ伝送を行ってもよい。
【０００６】
方式２
受信側は全方向方式で複数の参照信号を送信し、送信側はそれぞれ異なるビームを介して各参照信号を受信して、チャネル品質の最適な参照信号に対応するビームを送信ビームとして選択し、その後のデータ伝送において選択された最適なビームを使用してデータ伝送を行う。
【０００７】
上記方式２では、送信側と受信側がどのように参照信号の数を決定するかは解決すべき問題である。
【発明の概要】
【発明が解決しようとする課題】
【０００８】
上記技術課題を解決するために、本発明の実施例は情報決定方法及び装置、コンピュータ記憶媒体を提供する。
【課題を解決するための手段】
【０００９】
本発明の実施例に係る情報決定方法は、
第１端末は第１パラメータ信号の数がＮであることを決定し、Ｎが正の整数であることと、
前記第１端末が第２端末に制御チャネル及びＮ個の前記第１参照信号を送信し、前記制御チャネルは前記第２端末が前記第１パラメータ信号の数が前記Ｎであることを決定し、それによりＮ個のチャネルを介してそれぞれＮ個の前記第１参照信号を受信することに用いられることと、を含む。
【００１０】
本発明の実施例では、前記方法は更に、
前記第１端末が第１対応関係に基づいて、前記Ｎの値に対応する第１スクランブル情報を決定することと、
前記第１端末が前記第１スクランブル情報を利用して前記制御チャネルに対してスクランブル処理を行うことと、を含み、
前記制御チャネルに対応する前記第１スクランブル情報は前記第１パラメータ信号の数が前記Ｎであることを決定することに用いられる。
【００１１】
本発明の実施例では、前記方法は更に、
前記第１端末は予め設定された情報又はネットワークにより設定された情報に基づいて、前記第１対応関係を決定することを含む。
【００１２】
本発明の実施例では、前記方法は更に、
前記第１端末が第２対応関係に基づいて、前記Ｎの値に対応する第１マスク情報を決定することと、
前記第１端末が前記第１マスク情報を利用して前記制御チャネルに対してマスキング処理を行うことと、を含み、
前記制御チャネルに対応する前記第１マスク情報は前記第１パラメータ信号の数が前記Ｎであることを決定することに用いられる。
【００１３】
本発明の実施例では、前記方法は更に、
前記第１端末は予め設定された情報又はネットワークにより設定された情報に基づいて、前記第２対応関係を決定することを含む。
【００１４】
本発明の実施例では、前記方法は更に、
前記第１端末が第３対応関係に基づいて、前記Ｎの値に対応する第１コーデック情報を決定することと、
前記第１端末が前記第１コーデック情報を利用して前記制御チャネルに対して符号化処理を行うことと、を含み、
前記制御チャネルに対応する前記第１コーデック情報は前記第１パラメータ信号の数が前記Ｎであることを決定することに用いられる。
【００１５】
本発明の実施例では、前記第１コーデック情報は、復調用参照信号（ＤＭＲＳ、Ｄｅｍｏｄｕｌａｔｉｏｎ  Ｒｅｆｅｒｅｎｃｅ  Ｓｉｇｎａｌ）シーケンス、循環シフト、直交カバーコード（ＯＣＣ、Ｏｒｔｈｏｇｏｎａｌ  Ｃｏｖｅｒ  Ｃｏｄｅ）シーケンス、ルートシーケンスのうちの少なくとも１つを含む。
【００１６】
本発明の実施例では、前記方法は更に、
前記第１端末は予め設定された情報又はネットワークにより設定された情報に基づいて、前記第３対応関係を決定することを含む。
【００１７】
本発明の実施例では、前記制御チャネルは前記第１パラメータ信号の数が前記Ｎであることを決定するための第１指示情報を含む。
【００１８】
本発明の実施例では、前記第１端末が第１パラメータ信号の数がＮであることを決定することは、
前記第１端末は予め設定された情報又はネットワークにより設定された情報に基づいて、前記第１パラメータ信号の数がＮであることを決定することを含む。
【００１９】
本発明の実施例では、前記第１端末の制御チャネルと前記第１参照信号との間の伝送リソースは時分割される。
【００２０】
本発明の実施例に係る情報決定方法は、
第２端末は第１端末から送信された第１パラメータ信号の数がＮであることを決定し、Ｎが正の整数であることと、
前記第２端末がＮ個のチャネルを介してそれぞれ前記第１端末から送信されたＮ個の前記第１参照信号を受信し、異なるチャネル間の伝送リソースが時分割されることと、を含む。
【００２１】
本発明の実施例では、前記第２端末が第１端末から送信された第１パラメータ信号の数がＮであることを決定することは、
前記第２端末は前記第１端末から送信された制御チャネルを受信し、前記制御チャネルに基づいて前記第１端末から送信された第１パラメータ信号の数がＮであることを決定し、Ｎが正の整数であることを含む。
【００２２】
本発明の実施例では、前記第２端末が第１端末から送信された制御チャネルを受信し、前記制御チャネルに基づいて前記第１端末から送信された第１パラメータ信号の数がＮであることを決定することは、
前記第２端末が前記第１端末から送信された制御チャネルを受信し、第１コーデック情報を利用して前記制御チャネルに対して復号化処理を行うことと、
前記第２端末が第３対応関係に基づいて、前記第１コーデック情報に対応するＮの値を前記第１パラメータ信号の数として決定することと、を含む。
【００２３】
本発明の実施例では、前記第１コーデック情報は、ＤＭＲＳシーケンス、循環シフト、ＯＣＣシーケンス、ルートシーケンスのうちの少なくとも１つを含む。
【００２４】
本発明の実施例では、前記方法は更に、
前記第２端末は予め設定された情報又はネットワークにより設定された情報に基づいて、前記第３対応関係を決定することを含む。
【００２５】
本発明の実施例では、前記第２端末が第１端末から送信された制御チャネルを受信し、前記制御チャネルに基づいて前記第１端末から送信された第１パラメータ信号の数がＮであることを決定することは、
前記第２端末が前記第１端末から送信された制御チャネルを受信し、第１マスク情報を利用して前記制御チャネルに対してデマスキング処理を行うことと、
前記第２端末が第２対応関係に基づいて、前記第１マスク情報に対応するＮの値を前記第１パラメータ信号の数として決定することと、を含む。
【００２６】
本発明の実施例では、前記方法は更に、
前記第２端末は予め設定された情報又はネットワークにより設定された情報に基づいて、前記第２対応関係を決定することを含む。
【００２７】
本発明の実施例では、前記第２端末が第１端末から送信された制御チャネルを受信し、前記制御チャネルに基づいて前記第１端末から送信された第１パラメータ信号の数がＮであることを決定することは、
前記第２端末は前記第１端末から送信された制御チャネルを受信し、第１スクランブル情報を利用して前記制御チャネルに対してデスクランブル処理を行うことと、
前記第２端末が第１対応関係に基づいて、前記第１スクランブル情報に対応するＮの値を前記第１パラメータ信号の数として決定することと、を含む。
【００２８】
本発明の実施例では、前記方法は更に、
前記第２端末は予め設定された情報又はネットワークにより設定された情報に基づいて、前記第１対応関係を決定することを含む。
【００２９】
本発明の実施例では、前記第２端末が第１端末から送信された制御チャネルを受信し、前記制御チャネルに基づいて前記第１端末から送信された第１パラメータ信号の数がＮであることを決定することは、
前記第２端末が前記第１端末から送信された制御チャネルを受信し、前記制御チャネルから第１指示情報を取得することと、
前記第２端末が前記第１指示情報に基づいて、前記第１パラメータ信号の数を決定することと、を含む。
【００３０】
本発明の実施例では、前記第２端末が第１端末から送信された第１パラメータ信号の数がＮであることを決定することは、
前記第２端末は予め設定された情報又はネットワークにより設定された情報に基づいて、第１端末から送信された第１パラメータ信号の数がＮであることを決定することを含む。
【００３１】
本発明の実施例に係る情報決定装置は、
第１パラメータ信号の数がＮであることを決定することに用いられ、Ｎが正の整数である決定ユニットと、
第２端末に制御チャネル及びＮ個の前記第１参照信号を送信することに用いられ、前記制御チャネルは前記第２端末が前記第１パラメータ信号の数が前記Ｎであることを決定し、それによりＮ個のチャネルを介してそれぞれＮ個の前記第１参照信号を受信することに用いられる送信ユニットと、を備える。
【００３２】
本発明の実施例では、前記決定ユニットは更に、第１対応関係に基づいて、前記Ｎの値に対応する第１スクランブル情報を決定することに用いられ、
前記装置は更に、前記第１スクランブル情報を利用して前記制御チャネルに対してスクランブル処理を行うことに用いられる第１処理ユニットを備え、
前記制御チャネルに対応する前記第１スクランブル情報は前記第１パラメータ信号の数が前記Ｎであることを決定することに用いられる。
【００３３】
本発明の実施例では、前記決定ユニットは更に、予め設定された情報又はネットワークにより設定された情報に基づいて、前記第１対応関係を決定することに用いられる。
【００３４】
本発明の実施例では、前記決定ユニットは更に、第２対応関係に基づいて、前記Ｎの値に対応する第１マスク情報を決定することに用いられ、
前記装置は更に、前記第１マスク情報を利用して前記制御チャネルに対してマスキング処理を行うことに用いられる第２処理ユニットを備え、
前記制御チャネルに対応する前記第１マスク情報は前記第１パラメータ信号の数が前記Ｎであることを決定することに用いられる。
【００３５】
本発明の実施例では、前記決定ユニットは更に、予め設定された情報又はネットワークにより設定された情報に基づいて、前記第２対応関係を決定することに用いられる。
【００３６】
本発明の実施例では、前記決定ユニットは更に、第３対応関係に基づいて、前記Ｎの値に対応する第１コーデック情報を決定することに用いられ、
前記装置は更に、前記第１コーデック情報を利用して前記制御チャネルに対して符号化処理を行うことに用いられる第３処理ユニットを備え、
前記制御チャネルに対応する前記第１コーデック情報は前記第１パラメータ信号の数が前記Ｎであることを決定することに用いられる。
【００３７】
本発明の実施例では、前記第１コーデック情報は、ＤＭＲＳシーケンス、循環シフト、ＯＣＣシーケンス、ルートシーケンスのうちの少なくとも１つを含む。
【００３８】
本発明の実施例では、前記決定ユニットは更に、予め設定された情報又はネットワークにより設定された情報に基づいて、前記第３対応関係を決定することに用いられる。
【００３９】
本発明の実施例では、前記制御チャネルは前記第１パラメータ信号の数が前記Ｎであることを決定するための第１指示情報を含む。
【００４０】
本発明の実施例では、前記決定ユニットは、予め設定された情報又はネットワークにより設定された情報に基づいて、前記第１パラメータ信号の数がＮであることを決定することに用いられる。
【００４１】
本発明の実施例では、前記第１端末の制御チャネルと前記第１参照信号との間の伝送リソースは時分割される。
【００４２】
本発明の実施例に係る情報決定装置は、
第１端末から送信された第１パラメータ信号の数がＮであることを決定することに用いられ、Ｎが正の整数である決定ユニットと、
Ｎ個のチャネルを介してそれぞれ前記第１端末から送信されたＮ個の前記第１参照信号を受信することに用いられ、異なるチャネル間の伝送リソースが時分割される受信ユニットと、を備える。
【００４３】
本発明の実施例では、前記受信ユニットは更に、前記第１端末から送信された制御チャネルを受信することに用いられ、
前記決定ユニットは、前記制御チャネルに基づいて前記第１端末から送信された第１パラメータ信号の数がＮであることを決定することに用いられ、Ｎが正の整数である。
【００４４】
本発明の実施例では、前記装置は更に、
第１コーデック情報を利用して前記制御チャネルに対して復号化処理を行うことに用いられる第１処理ユニットを備え、
前記決定ユニットは、第３対応関係に基づいて、前記第１コーデック情報に対応するＮの値を前記第１パラメータ信号の数として決定することに用いられる。
【００４５】
本発明の実施例では、前記第１コーデック情報は、ＤＭＲＳシーケンス、循環シフト、ＯＣＣシーケンス、ルートシーケンスのうちの少なくとも１つを含む。
【００４６】
本発明の実施例では、前記決定ユニットは更に、予め設定された情報又はネットワークにより設定された情報に基づいて、前記第３対応関係を決定することに用いられる。
【００４７】
本発明の実施例では、前記装置は更に、
第１マスク情報を利用して前記制御チャネルに対してデマスキング処理を行うことに用いられる第２処理ユニットを備え、
前記決定ユニットは、第２対応関係に基づいて、前記第１マスク情報に対応するＮの値を前記第１パラメータ信号の数として決定することに用いられる。
【００４８】
本発明の実施例では、前記決定ユニットは更に、予め設定された情報又はネットワークにより設定された情報に基づいて、前記第２対応関係を決定することに用いられる。
【００４９】
本発明の実施例では、前記装置は更に、
第１スクランブル情報を利用して前記制御チャネルに対してデスクランブル処理を行うことに用いられる第３処理ユニットを備え、
前記決定ユニットは、第１対応関係に基づいて、前記第１スクランブル情報に対応するＮの値を前記第１パラメータ信号の数として決定することに用いられる。
【００５０】
本発明の実施例では、前記決定ユニットは更に、予め設定された情報又はネットワークにより設定された情報に基づいて、前記第１対応関係を決定することに用いられる。
【００５１】
本発明の実施例では、前記装置は更に、
前記制御チャネルから第１指示情報を取得することに用いられる取得ユニットを備え、
前記決定ユニットは、前記第１指示情報に基づいて、前記第１パラメータ信号の数を決定することに用いられる。
【００５２】
本発明の実施例では、前記決定ユニットは、予め設定された情報又はネットワークにより設定された情報に基づいて、第１端末から送信された第１パラメータ信号の数がＮであることを決定することに用いられる。
【００５３】
本発明の実施例に係るコンピュータ記憶媒体には、コンピュータ実行可能命令が記憶され、該コンピュータ実行可能命令がプロセッサにより実行されるとき、上記情報決定方法を実現する。
【発明の効果】
【００５４】
本発明の実施例の技術案では、第１端末は第１パラメータ信号の数がＮであることを決定し、Ｎが正の整数であり、前記第１端末は第２端末に制御チャネル及びＮ個の前記第１参照信号を送信し、前記制御チャネルは前記第２端末が前記第１パラメータ信号の数が前記Ｎであることを決定し、それによりＮ個のチャネルを介してそれぞれＮ個の前記第１参照信号を受信することに用いられる。本発明の実施例の技術案によれば、第１端末の制御チャネルによって第１参照信号の数を明示的又は暗示的に示し、また、第１端末と第２端末は予め設定された情報又はネットワークにより設定された情報によって第１参照信号の数を決定してもよい。
【図面の簡単な説明】
【００５５】
ここで説明される図面は本発明を更に理解するためのものであって、本願の一部となり、本発明の例示的な実施例及びその説明は本発明を解釈するためのものであって、本発明を不適切に制限するものではない。
【００５６】
【図１】図１は車両インターネットにおけるモード３のシーンの模式図である。
【図２】図２は車両インターネットにおけるモード４のシーンの模式図である。
【図３】図３は本発明の実施例のデータ伝送方法の模式的なフローチャート１である。
【図４】図４は本発明の実施例の情報決定方法の模式的なフローチャート２である。
【図５】図５は本発明の実施例の情報決定装置の構造模式図１である。
【図６】図６は本発明の実施例の情報決定装置の構造模式図２である。
【図７】図７は本発明の実施例のコンピュータ装置の構造模式図である。
【発明を実施するための形態】
【００５７】
本発明の実施例の特徴及び技術的内容をより詳しく理解するために、以下では図面を参照しながら本発明の実施例の実現を詳しく説明し、添付の図面は参照・説明のためのものであって、本発明の実施例を制限するためのものではない。
【００５８】
本発明の実施例の技術案を理解しやすくするために、以下ではそれぞれ車両インターネットにおけるモード３及びモード４を解釈して説明する。
【００５９】
モード３
図１に示すように、車載端末の伝送リソースは基地局（例えば、ＬＴＥにおける発展型基地局（ｅＮＢ、ｅｖｏｌｖｅｄ  ＮｏｄｅＢ））により割り当てられたものであり、具体的に、基地局はダウンリンク（ＤＬ、Ｄｏｗｎ  Ｌｉｎｋ）を介して車載端末にグラント（Ｇｒａｎｔ）リソースを示すための制御メッセージを送信し、その後、車載端末は基地局により割り当てられたリソースに基づいてＳＬにおいてデータ送信を行う。モード３において、基地局は１回送信するリソースを車載端末に割り当ててもよく、準静的に送信するリソースを端末に割り当ててもよい。
【００６０】
モード４
図２に示すように、車載端末はセンシング＋予約の伝送方式を用いる。車載端末はリソースプールからセンシング方式で利用可能な伝送リソースセットを取得し、車載端末は該伝送リソースセットから１つのリソースをランダムに選択してデータ伝送を行う。車両インターネットシステムにおけるサービスが周期的特徴を有するため、車載端末が一般的に準静的伝送方式を用い、即ち、車載端末は１つの伝送リソースを選択した後、複数の伝送周期において該リソースを継続して使用することとなり、それによりリソース再選択及びリソース衝突の確率を低減する。車載端末は今回伝送する制御情報に、次回伝送するリソースを予約する情報を含めることとなり、それにより他の端末は該車載端末の制御情報を検出することでこのリソースが該車載端末に予約されて使用されたかどうかを判断することができ、リソース衝突を低減するという目的を実現する。
【００６１】
なお、ＬＴＥ−Ｖ２Ｘにおいてそれぞれモード３で車載端末の伝送リソースが基地局により割り当てられたものであることを示し、モード４で車載端末の伝送リソースが端末の自主的に選択したものであることを示し、ＮＲ−Ｖ２Ｘにおいて、新しい伝送モードを定義してもよく、本発明は制限しない。
【００６２】
ＮＲ−Ｖ２Ｘにマルチアンテナ伝送技術を導入する必要があり、マルチアンテナは以下のいくつかの面での利点がある。
【００６３】
１）より高い伝送速度
マルチアンテナの多重伝送方式を利用して、同じ時間周波数リソースにおいて複数のデータストリームを伝送することができ、それにより伝送速度を向上させる。
【００６４】
２）より広いカバレッジ範囲及びより高い信頼性
ビームフォーミング（Ｂｅａｍｆｏｒｍｉｎｇ）技術を利用して、エネルギーを１つの狭いビームに集中することができ、それにより受信側の信号対雑音干渉比（ＳＩＮＲ、Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させ、受信側の受信成功確率を向上させ、又は伝送距離を延長させることができる。
【００６５】
本発明の一実施形態では、参照信号送信側（即ち第１端末）はＮ個の第１参照信号（ビームトレーニング参照信号又はビーム走査参照信号とも称される）を送信し、参照信号受信側（即ち第２端末）はＮ個の異なるチャネル（ビームとも称される）を介してそれぞれ対応するＮ個の第１参照信号を受信し、その中から最適なチャネル（即ち目標チャネル）を選択してデータ伝送を行う。
【００６６】
本発明の実施例の技術案によれば、車両インターネットシステムにおいて第１参照信号の数を決定することができ、具体的に、参照信号の送信側の物理サイドリンク制御チャネル（ＰＳＣＣＨ、Ｐｈｙｓｉｃａｌ  Ｓｉｄｅ  ｌｉｎｋ  Ｃｏｎｔｒｏｌ  Ｃｈａｎｎｅｌ）によって第１参照信号の数を明示的又は暗示的に示す。又は、第１端末と第２端末は予め設定された情報又はネットワークにより設定された情報によって第１参照信号の数を決定してもよい。
【００６７】
本発明の実施例のすべての技術案は車両インターネットシステムに適用されるだけでなく、他の端末間通信システムにも適用され、本発明の実施例における前記端末は車載端末、携帯端末、無線携帯情報端末（ＰＤＡ、Ｐｅｒｓｏｎａｌ  Ｄｉｇｉｔａｌ  Ａｓｓｉｓｔａｎｔ）、ウェアラブル端末等であってもよく、本発明の実施例における前記ネットワークはＮＲネットワーク、ＬＴＥネットワーク等であってもよい。
【００６８】
図３は本発明の実施例のデータ伝送方法の模式的なフローチャート１であり、図３に示すように、前記データ伝送方法は以下のステップ３０１〜３０２を含む。
【００６９】
ステップ３０１、第１端末は第１パラメータ信号の数がＮであることを決定し、Ｎが正の整数である。
【００７０】
本発明の実施例では、第１端末及び第２端末のタイプは制限されず、車載端末、携帯電話、ノートパソコン等の装置であってもよい。
【００７１】
本発明の実施例では、前記第１端末は予め設定された情報又はネットワークにより設定された情報に基づいて、又は自主的に選択する方式を用いて、前記第１パラメータ信号の数がＮであることを決定する。
【００７２】
ステップ３０２、前記第１端末は第２端末に制御チャネル及びＮ個の前記第１参照信号を送信し、前記制御チャネルは前記第２端末が前記第１パラメータ信号の数が前記Ｎであることを決定し、それによりＮ個のチャネルを介してそれぞれＮ個の前記第１参照信号を受信することに用いられる。
【００７３】
本発明の実施例では、第１端末は全方向方式でＮ個の前記第１参照信号を送信し、前記Ｎ個の第１参照信号が時分割される。第２端末はＮ個のチャネル（ビームとも称される）を介してそれぞれＮ個の前記第１参照信号を受信する。
【００７４】
本発明の実施例では、前記第１端末は第２端末に制御チャネルを送信し、前記制御チャネルは前記第２端末が前記第１パラメータ信号の数が前記Ｎであることを決定することに用いられる。前記第１端末の制御チャネルと前記第１参照信号との間の伝送リソースは時分割される。
【００７５】
例えば、第１端末はサブフレームｎにおいて物理サイドリンク制御チャネル（ＰＳＣＣＨ、Ｐｈｙｓｉｃａｌ  Ｓｉｄｅ  ｌｉｎｋ  Ｃｏｎｔｒｏｌ  Ｃｈａｎｎｅｌ）を送信し、サブフレームｎ＋ｍにおいて第１参照信号を送信し、ｍが０より大きい整数である。又は、第１端末はシンボルｐ〜ｐ＋Ｐ−１においてＰＳＣＣＨを送信し、ＰはＰＳＣＣＨの占有する総シンボル数を示し、シンボルｐ＋Ｐ−１＋ｑにおいて第１参照信号を送信し始め、ｑが０より大きい整数である。第１端末がＮ個の第１参照信号を送信する場合、第１端末はシンボルｐ＋Ｐ−１＋ｑにおいて１番目の第１参照信号を送信し、隣接する２つの第１参照信号間のシンボル数は予め定義されたもの又はネットワークにより設定されたものであってもよい。
【００７６】
本発明の実施例では、前記第１端末の制御チャネルは前記第２端末が前記第１パラメータ信号の数が前記Ｎであることを決定することに用いられることについては、以下の実現方式を有する。
【００７７】
方式１
前記第１端末の制御チャネルによって前記第１パラメータ信号の数を明示的に示す。
【００７８】
前記制御チャネルは前記第１パラメータ信号の数が前記Ｎであることを決定するための第１指示情報を含む。
【００７９】
例えば、前記第１端末のＰＳＣＣＨにおいてＫ個のビットでＮの値を示し、Ｋが正の整数、例えば２、３、４等である。第２端末は第１端末の制御チャネルから第１指示情報を取得し、第１指示情報に基づいてＮの値を決定した後、対応個数（即ちＮ個）のチャネルを選択して時間領域においてＮ個の第１参照信号に合わせるように受信する。
【００８０】
方式２
前記第１端末の制御チャネルによって前記第１パラメータ信号の数を暗示的に示す。
【００８１】
ここで、第１端末は制御チャネルを送信する前に、特定のスクランブル情報（例えば、第１スクランブル情報）を用いて制御チャネルに対してスクランブル処理を行い、及び／又は、特定のマスク情報（例えば、第１マスク情報）を用いて制御チャネルに対してマスキング処理を行い、及び／又は、特定のコーデック情報（例えば、第１コーデック情報）を用いて制御チャネルに対して符号化処理を行うこととなる。それに対応して、第２端末は制御チャネルを受信した後、前記特定のコーデック情報（例えば、第１コーデック情報）を用いて制御チャネルに対して復号化処理を行い、及び／又は、前記特定のマスク情報（例えば、第１マスク情報）を用いて制御チャネルに対してデマスキング処理を行い、及び／又は、前記特定のスクランブル情報（例えば、第１スクランブル情報）を用いて制御チャネルに対してデスクランブル処理を行う必要がある。
【００８２】
本発明の実施例では、第１スクランブル情報とＮの値との第１対応関係を確立し、又は、第１マスク情報とＮの値との第２対応関係を確立し、又は、第１コーデック情報とＮの値との第３対応関係を確立し、このように、第２端末は制御情報に対応する第１スクランブル情報、第１マスク情報又は第１コーデック情報に基づいて、Ｎの値を暗示的に把握することができる。以下、具体的に説明する。
【００８３】
１．１）前記第１端末は第１対応関係に基づいて、前記Ｎの値に対応する第１スクランブル情報を決定し、前記第１端末は前記第１スクランブル情報を利用して前記制御チャネルに対してスクランブル処理を行い、前記制御チャネルに対応する前記第１スクランブル情報は前記第１パラメータ信号の数が前記Ｎであることを決定することに用いられる。一実施形態では、前記第１端末は予め設定された情報又はネットワークにより設定された情報に基づいて、前記第１対応関係を決定する。
【００８４】
例えば、表１は第１スクランブル情報とＮの値との第１対応関係であり、Ｎの値が４であると仮定すれば、表１によれば、４に対応する第１スクランブル情報はスクランブルシーケンス１である。
【００８５】
【表１】
2021516879.tif 000003
【００８６】
１．２）前記第１端末は第２対応関係に基づいて、前記Ｎの値に対応する第１マスク情報を決定し、前記第１端末は前記第１マスク情報を利用して前記制御チャネルに対してマスキング処理を行い、前記制御チャネルに対応する前記第１マスク情報は前記第１パラメータ信号の数が前記Ｎであることを決定することに用いられる。一実施形態では、前記第１端末は予め設定された情報又はネットワークにより設定された情報に基づいて、前記第２対応関係を決定する。
【００８７】
例えば、表２は第１マスク情報とＮの値との第２対応関係であり、Ｎの値が８であると仮定すれば、表２によれば、８に対応する第１スクランブル情報はマスクシーケンス２である。
【００８８】
【表２】
2021516879.tif 000004
【００８９】
１．３）前記第１端末は第３対応関係に基づいて、前記Ｎの値に対応する第１コーデック情報を決定し、前記第１端末は前記第１コーデック情報を利用して前記制御チャネルに対して符号化処理を行い、前記制御チャネルに対応する前記第１コーデック情報は前記第１パラメータ信号の数が前記Ｎであることを決定することに用いられる。一実施形態では、前記第１コーデック情報はＤＭＲＳシーケンス、循環シフト、ＯＣＣシーケンス、ルートシーケンスのうちの少なくとも１つを含む。一実施形態では、前記第１端末は予め設定された情報又はネットワークにより設定された情報に基づいて、前記第３対応関係を決定する。
【００９０】
第１コーデック情報がＤＭＲＳシーケンスを含む場合を例とすれば、表３は第１コーデック情報とＮの値との第３対応関係であり、Ｎの値が１６であると仮定すれば、表３によれば、１６に対応する第１コーデック情報はＤＭＲＳシーケンス３である。
【００９１】
【表３】
2021516879.tif 000005
【００９２】
本実施例では、第１端末の第１参照信号の数は予め設定されたもの又はネットワークにより設定されたもの（例えば、モード３において、ネットワークが第１端末に第１参照信号の数を設定する）又は自主的に選択したものであってもよく、第１端末は適切な第１参照信号の数を選択して、制御チャネルに第１参照信号の数情報を明示的又は暗示的に含め、第２端末は第１端末の制御チャネルを受信することにより、対応する参照信号の数情報を把握して、対応数のビームを利用して前記参照信号を受信する。また、第１端末の制御チャネルと第１参照信号は時分割され、例えば、サブフレーム又はスロットｎが制御チャネルを送信し、サブフレーム又はスロットｎ＋ｍが第１参照信号を送信し、ｍが０より大きい整数であり、更に例えば、シンボルｎが制御チャネルを送信し、シンボルｎ＋ｍが第１参照信号を送信し、ｍが０より大きい整数である。具体的に応用するとき、制御チャネルと第１参照信号は１つのサブフレーム又はスロット内に位置してもよく、複数のサブフレーム又はスロット間に位置してもよい。
【００９３】
図４は本発明の実施例の情報決定方法の模式的なフローチャート２であり、図４に示すように、前記情報決定方法は以下のステップ４０１〜４０２を含む。
【００９４】
ステップ４０１、第２端末は第１端末から送信された第１パラメータ信号の数がＮであることを決定し、Ｎが正の整数である。
【００９５】
本発明の実施例では、第１端末及び第２端末のタイプは制限されず、車載端末、携帯電話、ノートパソコン等の装置であってもよい。
【００９６】
本発明の実施例では、前記第２端末が第１端末から送信された第１パラメータ信号の数がＮであることを決定することは、以下の２つの方式で実現されてもよい。
【００９７】
方式１
前記第２端末は予め設定された情報又はネットワークにより設定された情報に基づいて、第１端末から送信された第１パラメータ信号の数がＮであることを決定する。
【００９８】
方式２
前記第２端末は前記第１端末から送信された制御チャネルを受信し、前記制御チャネルに基づいて前記第１端末から送信された第１パラメータ信号の数がＮであることを決定し、Ｎが正の整数である。
【００９９】
上記方式２は更に２つの方式を含む。
【０１００】
２．１）前記第１端末の制御チャネルによって前記第１パラメータ信号の数を明示的に示す。
【０１０１】
具体的に、前記第２端末は前記第１端末から送信された制御チャネルを受信し、前記制御チャネルから第１指示情報を取得し、前記第２端末は前記第１指示情報に基づいて、前記第１パラメータ信号の数を決定する。
【０１０２】
２．２）前記第１端末の制御チャネルによって前記第１パラメータ信号の数を暗示的に示す。
【０１０３】
ここで、前記第１端末の制御チャネルによって前記第１パラメータ信号の数を暗示的に示すことは、以下の方式で実現されてもよい。
【０１０４】
２．２１）前記第２端末は前記第１端末から送信された制御チャネルを受信し、第１コーデック情報を利用して前記制御チャネルに対して復号化処理を行い、前記第２端末は第３対応関係に基づいて、前記第１コーデック情報に対応するＮの値を前記第１パラメータ信号の数として決定する。
【０１０５】
一実施形態では、前記第１コーデック情報はＤＭＲＳシーケンス、循環シフト、ＯＣＣシーケンス、ルートシーケンスのうちの少なくとも１つを含む。
【０１０６】
一実施形態では、前記第２端末は予め設定された情報又はネットワークにより設定された情報に基づいて、前記第３対応関係を決定する。
【０１０７】
２．２２）前記第２端末は前記第１端末から送信された制御チャネルを受信し、第１マスク情報を利用して前記制御チャネルに対してデマスキング処理を行い、前記第２端末は第２対応関係に基づいて、前記第１マスク情報に対応するＮの値を前記第１パラメータ信号の数として決定する。
【０１０８】
一実施形態では、前記第２端末は予め設定された情報又はネットワークにより設定された情報に基づいて、前記第２対応関係を決定する。
【０１０９】
２．２３）前記第２端末は前記第１端末から送信された制御チャネルを受信し、第１スクランブル情報を利用して前記制御チャネルに対してデスクランブル処理を行い、前記第２端末は第１対応関係に基づいて、前記第１スクランブル情報に対応するＮの値を前記第１パラメータ信号の数として決定する。
【０１１０】
一実施形態では、前記第２端末は予め設定された情報又はネットワークにより設定された情報に基づいて、前記第１対応関係を決定する。
【０１１１】
ステップ４０２、前記第２端末はＮ個のチャネルを介してそれぞれ前記第１端末から送信されたＮ個の前記第１参照信号を受信し、異なるチャネル間の伝送リソースが時分割される。
【０１１２】
本発明の実施例では、第１端末がＮ個のチャネルを介して第２端末から送信されたＮ個の前記第１参照信号を受信することは、第１端末がＢｅａｍｆｏｒｍｉｎｇ技術でＮ個のビームを形成し、異なるビーム間の伝送リソースが時分割され、１つのビームが１つのチャネルを代表し、第１端末がビームポーリング方式でそれぞれＮ個のビーム（即ちチャネル）を介して前記第２端末から送信されたＮ個の第１参照信号を受信することにより実現され、ここで、前記Ｎ個の第１参照信号が時分割され、前記伝送リソースが時間周波数リソースであってもよい。
【０１１３】
例えば、第１端末はＮ個の第１参照信号を送信し、各参照信号が１つの直交周波数分割多重（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを占有し、第２端末はＮの値を決定した後、それぞれＮ個のビームを介してＮ個の第１参照信号を受信し、即ち、第１端末は第１参照信号の位置するＮ個のシンボルにおいて、それぞれＮ個のビームを介して第１参照信号を受信する。
【０１１４】
図５は本発明の実施例の情報決定装置の構造模式図１であり、図５に示すように、前記情報決定装置は、
第１パラメータ信号の数がＮであることを決定することに用いられ、Ｎが正の整数である決定ユニット５０１と、
第２端末に制御チャネル及びＮ個の前記第１参照信号を送信することに用いられ、前記制御チャネルは前記第２端末が前記第１パラメータ信号の数が前記Ｎであることを決定し、それによりＮ個のチャネルを介してそれぞれＮ個の前記第１参照信号を受信することに用いられる送信ユニット５０２と、を備える。
【０１１５】
一実施形態では、前記決定ユニット５０１は更に、第１対応関係に基づいて、前記Ｎの値に対応する第１スクランブル情報を決定することに用いられ、
前記装置は更に、前記第１スクランブル情報を利用して前記制御チャネルに対してスクランブル処理を行うことに用いられる第１処理ユニット５０３を備え、
前記制御チャネルに対応する前記第１スクランブル情報は前記第１パラメータ信号の数が前記Ｎであることを決定することに用いられる。
【０１１６】
一実施形態では、前記決定ユニット５０１は更に、予め設定された情報又はネットワークにより設定された情報に基づいて、前記第１対応関係を決定することに用いられる。
【０１１７】
一実施形態では、前記決定ユニット５０１は更に、第２対応関係に基づいて、前記Ｎの値に対応する第１マスク情報を決定することに用いられ、
前記装置は更に、前記第１マスク情報を利用して前記制御チャネルに対してマスキング処理を行うことに用いられる第２処理ユニット５０４を備え、
前記制御チャネルに対応する前記第１マスク情報は前記第１パラメータ信号の数が前記Ｎであることを決定することに用いられる。
【０１１８】
一実施形態では、前記決定ユニット５０１は更に、予め設定された情報又はネットワークにより設定された情報に基づいて、前記第２対応関係を決定することに用いられる。
【０１１９】
一実施形態では、前記決定ユニット５０１は更に、第３対応関係に基づいて、前記Ｎの値に対応する第１コーデック情報を決定することに用いられ、
前記装置は更に、前記第１コーデック情報を利用して前記制御チャネルに対して符号化処理を行うことに用いられる第３処理ユニット５０５を備え、
前記制御チャネルに対応する前記第１コーデック情報は前記第１パラメータ信号の数が前記Ｎであることを決定することに用いられる。
【０１２０】
一実施形態では、前記第１コーデック情報は、ＤＭＲＳシーケンス、循環シフト、ＯＣＣシーケンス、ルートシーケンスのうちの少なくとも１つを含む。
【０１２１】
一実施形態では、前記決定ユニット５０１は更に、予め設定された情報又はネットワークにより設定された情報に基づいて、前記第３対応関係を決定することに用いられる。
【０１２２】
一実施形態では、前記制御チャネルは前記第１パラメータ信号の数が前記Ｎであることを決定するための第１指示情報を含む。
【０１２３】
一実施形態では、前記決定ユニット５０１は、予め設定された情報又はネットワークにより設定された情報に基づいて、前記第１パラメータ信号の数がＮであることを決定することに用いられる。
【０１２４】
一実施形態では、前記第１端末の制御チャネルと前記第１参照信号との間の伝送リソースは時分割される。
【０１２５】
当業者であれば理解できるように、図５に示される情報決定装置の各ユニットの実現機能については、上記情報決定方法の関連説明を参照して理解されてもよい。図５に示される情報決定装置の各ユニットの機能はプロセッサにおいて実行されるプログラムにより実現されてもよく、具体的な論理回路により実現されてもよい。
【０１２６】
図６は本発明の実施例の情報決定装置の構造模式図２であり、図６に示すように、前記情報決定装置は、
第１端末から送信された第１パラメータ信号の数がＮであることを決定することに用いられ、Ｎが正の整数である決定ユニット６０１と、
Ｎ個のチャネルを介してそれぞれ前記第１端末から送信されたＮ個の前記第１参照信号を受信することに用いられ、異なるチャネル間の伝送リソースが時分割される受信ユニット６０２と、を備える。
【０１２７】
一実施形態では、前記受信ユニット６０２は更に、前記第１端末から送信された制御チャネルを受信することに用いられ、
前記決定ユニット６０１は、前記制御チャネルに基づいて前記第１端末から送信された第１パラメータ信号の数がＮであることを決定することに用いられ、Ｎが正の整数である。
【０１２８】
一実施形態では、前記装置は更に、
第１コーデック情報を利用して前記制御チャネルに対して復号化処理を行うことに用いられる第１処理ユニット６０３を備え、
前記決定ユニット６０１は、第３対応関係に基づいて、前記第１コーデック情報に対応するＮの値を前記第１パラメータ信号の数として決定することに用いられる。
【０１２９】
一実施形態では、前記第１コーデック情報は、ＤＭＲＳシーケンス、循環シフト、ＯＣＣシーケンス、ルートシーケンスのうちの少なくとも１つを含む。
【０１３０】
一実施形態では、前記決定ユニット６０１は更に、予め設定された情報又はネットワークにより設定された情報に基づいて、前記第３対応関係を決定することに用いられる。
【０１３１】
一実施形態では、前記装置は更に、
第１マスク情報を利用して前記制御チャネルに対してデマスキング処理を行うことに用いられる第２処理ユニット６０４を備え、
前記決定ユニット６０１は、第２対応関係に基づいて、前記第１マスク情報に対応するＮの値を前記第１パラメータ信号の数として決定することに用いられる。
【０１３２】
一実施形態では、前記決定ユニット６０１は更に、予め設定された情報又はネットワークにより設定された情報に基づいて、前記第２対応関係を決定することに用いられる。
【０１３３】
一実施形態では、前記装置は更に、
第１スクランブル情報を利用して前記制御チャネルに対してデスクランブル処理を行うことに用いられる第３処理ユニット６０５を備え、
前記決定ユニット６０１は、第１対応関係に基づいて、前記第１スクランブル情報に対応するＮの値を前記第１パラメータ信号の数として決定することに用いられる。
【０１３４】
一実施形態では、前記決定ユニット６０１は更に、予め設定された情報又はネットワークにより設定された情報に基づいて、前記第１対応関係を決定することに用いられる。
【０１３５】
一実施形態では、前記装置は更に、
前記制御チャネルから第１指示情報を取得することに用いられる取得ユニット６０６を備え、
前記決定ユニット６０１は、前記第１指示情報に基づいて、前記第１パラメータ信号の数を決定することに用いられる。
【０１３６】
一実施形態では、前記決定ユニット６０１は、予め設定された情報又はネットワークにより設定された情報に基づいて、第１端末から送信された第１パラメータ信号の数がＮであることを決定することに用いられる。
【０１３７】
当業者であれば理解できるように、図６に示される情報決定装置の各ユニットの実現機能については、上記情報決定方法の関連説明を参照して理解されてもよい。図６に示される情報決定装置の各ユニットの機能はプロセッサにおいて実行されるプログラムにより実現されてもよく、具体的な論理回路により実現されてもよい。
【０１３８】
本発明の実施例における上記情報決定装置はソフトウェア機能モジュールの形式で実現され、独立した製品として販売又は使用されるとき、１つのコンピュータ可読記憶媒体に記憶されてもよい。このような理解に基づいて、本発明の実施例の技術案の本質的又は従来技術に貢献する部分はソフトウェア製品の形式で具現されてもよく、該コンピュータソフトウェア製品は、１台のコンピュータ装置（パーソナルコンピュータ、サーバ又はネットワーク装置等）に本発明の各実施例に記載の方法の全部又は一部を実行させるための若干の命令を含む１つの記憶媒体に記憶される。上記記憶媒体はＵＳＢメモリ、ポータブルハードディスク、読み出し専用メモリ（ＲＯＭ、Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいかなる特定のハードウェア及びソフトウェアの組み合わせに制限されるものではない。
【０１３９】
それに対応して、本発明の実施例は更にコンピュータ記憶媒体を提供し、該コンピュータ記憶媒体にコンピュータ実行可能命令が記憶され、該コンピュータ実行可能命令がプロセッサにより実行されるとき、本発明の実施例の上記情報決定方法を実現する。
【０１４０】
図７は本発明の実施例のコンピュータ装置の構造模式図であり、該コンピュータ装置はいかなるタイプの端末であってもよい。図７に示すように、コンピュータ装置１００は１つ又は複数（図面には１つのみを示す）のプロセッサ１００２（プロセッサ１００２はマイクロコントローラユニット（ＭＣＵ、Ｍｉｃｒｏ  Ｃｏｎｔｒｏｌｌｅｒ  Ｕｎｉｔ）又はフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）等の処理装置を含んでもよいが、それらに限らない）、データを記憶するためのメモリ１００４、及び通信機能のための伝送装置１００６を備えてもよい。当業者であれば理解できるように、図７に示される構造は模式的なものであって、上記電子装置の構造を制限するためのものではない。例えば、コンピュータ装置１００は更に図７より多く又は少ないコンポーネントを備え、又は図７と異なる構成を有してもよい。
【０１４１】
メモリ１００４はアプリケーションソフトウェアが記憶されるソフトウェアプログラム及びモジュール、例えば本発明の実施例における方法に対応するプログラム命令／モジュールに使用されてもよく、プロセッサ１００２はメモリ１００４に記憶されるソフトウェアプログラム及びモジュールを実行することにより、様々な機能アプリケーション及びデータ処理を実行し、即ち上記方法を実現する。メモリ１００４は高速ランダムアクセスメモリを含んでもよく、更に不揮発性メモリ、例えば１つ又は複数の磁気記憶装置、フラッシュメモリ又は他の不揮発性固体メモリを含んでもよい。いくつかの実例では、メモリ１００４は更にプロセッサ１００２に対して遠隔設置されるメモリを含んでもよく、これらの遠隔メモリはネットワーク経由でコンピュータ装置１００に接続されてもよい。上記ネットワークの実例はインターネット、イントラネット、ローカルエリアネットワーク、移動通信ネットワーク及びそれらの組み合わせを含むが、それらに限らない。
【０１４２】
伝送装置１００６はネットワーク経由でデータを送受信することに用いられる。上記ネットワークの具体的な実例はコンピュータ装置１００の通信プロバイダの提供する無線ネットワークを含んでもよい。１つの実例では、伝送装置１００６は基地局によって他のネットワーク装置に接続されることでインターネットと通信することのできる１つのネットワークインターフェースコントローラ（ＮＩＣ、Ｎｅｔｗｏｒｋ  Ｉｎｔｅｒｆａｃｅ  Ｃｏｎｔｒｏｌｌｅｒ）を備える。１つの実例では、伝送装置１００６は無線周波数（ＲＦ、Ｒａｄｉｏ  Ｆｒｅｑｕｅｎｃｙ）モジュールであってもよく、無線方式でインターネットと通信することに用いられる。
【０１４３】
衝突しない限り、本発明の実施例に記載の技術案同士は任意に組み合わせられてもよい。
【０１４４】
本発明に係るいくつかの実施例では、理解されるように、開示される方法及びスマートデバイスは他の方式で実現されてもよい。以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される各構成部分間の結合又は直接結合又は通信接続はいくつかのインターフェース、装置又はユニットによる間接結合又は通信接続であってもよく、電気、機械又は他の形式であってもよい。
【０１４５】
分離部材として説明される上記ユニットは物理的に分離してもよく、物理的に分離しなくてもよく、ユニットとして表示される部材は物理ユニットであってもよく、物理ユニットでなくてもよく、即ち、一箇所に位置してもよく、複数のネットワークユニットに配置されてもよく、実際の必要に応じて、その一部又は全部のユニットを選択して本実施例案の目的を実現してもよい。
【０１４６】
また、本発明の各実施例では、各機能ユニットはすべて１つの第２処理ユニットに統合されてもよく、各ユニットはそれぞれ独立して１つのユニットとされてもよく、２つ以上のユニットは１つのユニットに統合されてもよく、上記統合されたユニットはハードウェアの形式で実現されてもよく、ハードウェアプラスソフトウェア機能ユニットの形式で実現されてもよい。
【０１４７】
以上の説明は本発明の具体的な実施形態に過ぎず、本発明の保護範囲を制限するためのものではなく、当業者が本発明に開示される技術的範囲内で容易に想到し得る変更や置換は、いずれも本発明の保護範囲内に含まれるべきである。
【図１】
2021516879.tif 000006
【図２】
2021516879.tif 000007
【図３】
2021516879.tif 000008
【図４】
2021516879.tif 000009
【図５】
2021516879.tif 000010
【図６】
2021516879.tif 000011
【図７】
2021516879.tif 000012
【手続補正書】
【提出日】令和3年1月13日(2021.1.13)
【手続補正１】
【補正対象書類名】明細書
【補正対象項目名】０００４
【補正方法】変更
【補正の内容】
【０００４】
新無線（ＮＲ、Ｎｅｗ  Ｒａｄｉｏ）−Ｖ２Ｘにおいて、自動運転をサポートする必要があるため、車両間のデータ交換に対して、より高い要求、例えばより高いスループット、より低い遅延、より高い信頼性、より広いカバレッジ範囲、より柔軟なリソース割り当て等を提出する。上記要求を満足するために、ＮＲ−Ｖ２Ｘにマルチアンテナ伝送技術を導入する必要があり、マルチアンテナ伝送技術において、ビームフォーミング（Ｂｅａｍｆｏｒｍｉｎｇ）によってカバレッジ範囲及び信頼性を向上させることができ、データ送信側がどのように複数の候補ビームから最適なビームを選択するかは、以下のいずれか１つの方式で実現される。
【手続補正２】
【補正対象書類名】明細書
【補正対象項目名】００１９
【補正方法】変更
【補正の内容】
【００１９】
本発明の実施例では、前記第１端末の制御チャネルと前記第１参照信号との伝送リソースは時分割される。
【手続補正３】
【補正対象書類名】明細書
【補正対象項目名】００２０
【補正方法】変更
【補正の内容】
【００２０】
本発明の実施例に係る情報決定方法は、
第２端末は第１端末から送信された第１参照信号の数がＮであることを決定し、Ｎが正の整数であることと、
前記第２端末がＮ個のチャネルを介してそれぞれ前記第１端末から送信されたＮ個の前記第１参照信号を受信し、異なるチャネルの伝送リソースが時分割されることと、を含む。
【手続補正４】
【補正対象書類名】明細書
【補正対象項目名】００４１
【補正方法】変更
【補正の内容】
【００４１】
本発明の実施例では、前記第１端末の制御チャネルと前記第１参照信号との伝送リソースは時分割される。
【手続補正５】
【補正対象書類名】明細書
【補正対象項目名】００４２
【補正方法】変更
【補正の内容】
【００４２】
本発明の実施例に係る情報決定装置は、
第１端末から送信された第１参照信号の数がＮであることを決定することに用いられ、Ｎが正の整数である決定ユニットと、
Ｎ個のチャネルを介してそれぞれ前記第１端末から送信されたＮ個の前記第１参照信号を受信することに用いられ、異なるチャネルの伝送リソースが時分割される受信ユニットと、を備える。
【手続補正６】
【補正対象書類名】明細書
【補正対象項目名】００５６
【補正方法】変更
【補正の内容】
【００５６】
【図１】図１は車両インターネットにおけるモード３のシーンの模式図である。
【図２】図２は車両インターネットにおけるモード４のシーンの模式図である。
【図３】図３は本発明の実施例の情報決定方法の模式的なフローチャート１である。
【図４】図４は本発明の実施例の情報決定方法の模式的なフローチャート２である。
【図５】図５は本発明の実施例の情報決定装置の構造模式図１である。
【図６】図６は本発明の実施例の情報決定装置の構造模式図２である。
【図７】図７は本発明の実施例のコンピュータ装置の構造模式図である。
【手続補正７】
【補正対象書類名】明細書
【補正対象項目名】００６１
【補正方法】変更
【補正の内容】
【００６１】
なお、ＬＴＥ−Ｖ２Ｘにおいてモード３で車載端末の伝送リソースが基地局により割り当てられたものであることを示し、モード４で車載端末の伝送リソースが端末の自主的に選択したものであることを示し、ＮＲ−Ｖ２Ｘにおいて、新しい伝送モードを定義してもよく、本発明は制限しない。
【手続補正８】
【補正対象書類名】明細書
【補正対象項目名】００６８
【補正方法】変更
【補正の内容】
【００６８】
図３は本発明の実施例の情報決定方法の模式的なフローチャート１であり、図３に示すように、前記情報決定方法は以下のステップ３０１〜３０２を含む。
【手続補正９】
【補正対象書類名】明細書
【補正対象項目名】００７４
【補正方法】変更
【補正の内容】
【００７４】
本発明の実施例では、前記第１端末は第２端末に制御チャネルを送信し、前記制御チャネルは前記第２端末が前記第１参照信号の数が前記Ｎであることを決定することに用いられる。前記第１端末の制御チャネルと前記第１参照信号との伝送リソースは時分割される。
【手続補正１０】
【補正対象書類名】明細書
【補正対象項目名】００８７
【補正方法】変更
【補正の内容】
【００８７】
例えば、表２は第１マスク情報とＮの値との第２対応関係であり、Ｎの値が８であると仮定すれば、表２によれば、８に対応する第１マスク情報はマスクシーケンス２である。
【手続補正１１】
【補正対象書類名】明細書
【補正対象項目名】００９６
【補正方法】変更
【補正の内容】
【００９６】
本発明の実施例では、前記第２端末が第１端末から送信された第１参照信号の数がＮであることを決定することは、以下の２つの方式の中のいずれか１つの方法で実現されてもよい。
【手続補正１２】
【補正対象書類名】明細書
【補正対象項目名】０１０３
【補正方法】変更
【補正の内容】
【０１０３】
ここで、前記第１端末の制御チャネルによって前記第１参照信号の数を暗示的に示すことは、以下のいずれか１つの方式で実現されてもよい。
【手続補正１３】
【補正対象書類名】明細書
【補正対象項目名】０１１１
【補正方法】変更
【補正の内容】
【０１１１】
ステップ４０２、前記第２端末はＮ個のチャネルを介してそれぞれ前記第１端末から送信されたＮ個の前記第１参照信号を受信し、異なるチャネルの伝送リソースが時分割される。
【手続補正１４】
【補正対象書類名】明細書
【補正対象項目名】０１１２
【補正方法】変更
【補正の内容】
【０１１２】
本発明の実施例では、第２端末がＮ個のチャネルを介して第１端末から送信されたＮ個の前記第１参照信号を受信することは、第２端末がＢｅａｍｆｏｒｍｉｎｇ技術でＮ個のビームを形成し、異なるビームの伝送リソースが時分割され、１つのビームが１つのチャネルを代表し、第２端末がビームポーリング方式でそれぞれＮ個のビーム（即ちチャネル）を介して前記第１端末から送信されたＮ個の第１参照信号を受信することにより実現され、ここで、前記Ｎ個の第１参照信号が時分割され、前記伝送リソースが時間周波数リソースであってもよい。
【手続補正１５】
【補正対象書類名】明細書
【補正対象項目名】０１１３
【補正方法】変更
【補正の内容】
【０１１３】
例えば、第１端末はＮ個の第１参照信号を送信し、各参照信号が１つの直交周波数分割多重（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを占有し、第２端末はＮの値を決定した後、それぞれＮ個のビームを介してＮ個の第１参照信号を受信し、即ち、第２端末は第１参照信号の位置するＮ個のシンボルにおいて、それぞれＮ個のビームを介して第１参照信号を受信する。
【手続補正１６】
【補正対象書類名】明細書
【補正対象項目名】０１２４
【補正方法】変更
【補正の内容】
【０１２４】
一実施形態では、前記第１端末の制御チャネルと前記第１参照信号との伝送リソースは時分割される。
【手続補正１７】
【補正対象書類名】明細書
【補正対象項目名】０１２６
【補正方法】変更
【補正の内容】
【０１２６】
図６は本発明の実施例の情報決定装置の構造模式図２であり、図６に示すように、前記情報決定装置は、
第１端末から送信された第１参照信号の数がＮであることを決定することに用いられ、Ｎが正の整数である決定ユニット６０１と、
Ｎ個のチャネルを介してそれぞれ前記第１端末から送信されたＮ個の前記第１参照信号を受信することに用いられ、異なるチャネルの伝送リソースが時分割される受信ユニット６０２と、を備える。
【手続補正１８】
【補正対象書類名】明細書
【補正対象項目名】０１４６
【補正方法】変更
【補正の内容】
【０１４６】
また、本発明の各実施例では、各機能ユニットはすべて１つの処理ユニットに統合されてもよく、各ユニットはそれぞれ独立して１つのユニットとされてもよく、２つ以上のユニットは１つのユニットに統合されてもよく、上記統合されたユニットはハードウェアの形式で実現されてもよく、ハードウェアプラスソフトウェア機能ユニットの形式で実現されてもよい。
【手続補正１９】
【補正対象書類名】特許請求の範囲
【補正対象項目名】全文
【補正方法】変更
【補正の内容】
【特許請求の範囲】
【請求項１】
情報決定方法であって、
第１端末は第１参照信号の数がＮであることを決定し、Ｎが正の整数であることと、
前記第１端末が第２端末に制御チャネル及びＮ個の前記第１参照信号を送信し、前記制御チャネルは前記第２端末が前記第１参照信号の数が前記Ｎであることを決定し、それによりＮ個のチャネルを介してそれぞれＮ個の前記第１参照信号を受信することに用いられることと、を含む情報決定方法。
【請求項２】
前記方法は更に、
前記第１端末が第１対応関係に基づいて、前記Ｎの値に対応する第１スクランブル情報を決定することと、
前記第１端末が前記第１スクランブル情報を利用して前記制御チャネルに対してスクランブル処理を行うことと、を含み、
前記制御チャネルに対応する前記第１スクランブル情報は、前記第１参照信号の数が前記Ｎであることを決定することに用いられる請求項１に記載の方法。
【請求項３】
前記方法は更に、
前記第１端末が第３対応関係に基づいて、前記Ｎの値に対応する第１コーデック情報を決定することと、
前記第１端末が前記第１コーデック情報を利用して前記制御チャネルに対して符号化処理を行うことと、を含み、
前記制御チャネルに対応する前記第１コーデック情報は、前記第１参照信号の数が前記Ｎであることを決定することに用いられる請求項１に記載の方法。
【請求項４】
前記第１コーデック情報は、復調用参照信号（ＤＭＲＳ）シーケンス、循環シフト、直交カバーコード（ＯＣＣ）シーケンス、ルートシーケンスのうちの少なくとも１つを含む請求項３に記載の方法。
【請求項５】
前記制御チャネルは前記第１参照信号の数が前記Ｎであることを決定するための第１指示情報を含む請求項１に記載の方法。
【請求項６】
前記第１端末が第１参照信号の数がＮであることを決定することは、
前記第１端末は予め設定された情報又はネットワークにより設定された情報に基づいて、前記第１参照信号の数がＮであることを決定することを含む請求項１〜５のいずれか１項に記載の方法。
【請求項７】
前記第１端末の制御チャネルと前記第１参照信号との伝送リソースは時分割される請求項１〜６のいずれか１項に記載の方法。
【請求項８】
情報決定装置であって、
第１参照信号の数がＮであることを決定することに用いられ、Ｎが正の整数である決定ユニットと、
第２端末に制御チャネル及びＮ個の前記第１参照信号を送信することに用いられ、前記制御チャネルは前記第２端末が前記第１参照信号の数が前記Ｎであることを決定し、それによりＮ個のチャネルを介してそれぞれＮ個の前記第１参照信号を受信することに用いられる送信ユニットと、を備える情報決定装置。
【請求項９】
前記決定ユニットは更に、第１対応関係に基づいて、前記Ｎの値に対応する第１スクランブル情報を決定することに用いられ、
前記装置は更に、前記第１スクランブル情報を利用して前記制御チャネルに対してスクランブル処理を行うことに用いられる第１処理ユニットを備え、
前記制御チャネルに対応する前記第１スクランブル情報は前記第１参照信号の数が前記Ｎであることを決定することに用いられる請求項８に記載の装置。
【請求項１０】
前記決定ユニットは更に、第３対応関係に基づいて、前記Ｎの値に対応する第１コーデック情報を決定することに用いられ、
前記装置は更に、前記第１コーデック情報を利用して前記制御チャネルに対して符号化処理を行うことに用いられる第３処理ユニットを備え、
前記制御チャネルに対応する前記第１コーデック情報は前記第１参照信号の数が前記Ｎであることを決定することに用いられる請求項８に記載の装置。
【請求項１１】
前記第１コーデック情報は、復調用参照信号（ＤＭＲＳ）シーケンス、循環シフト、直交カバーコード（ＯＣＣ）シーケンス、ルートシーケンスのうちの少なくとも１つを含む請求項１０に記載の装置。
【請求項１２】
前記制御チャネルは前記第１参照信号の数が前記Ｎであることを決定するための第１指示情報を含む請求項８に記載の装置。
【請求項１３】
前記決定ユニットは、予め設定された情報又はネットワークにより設定された情報に基づいて、前記第１参照信号の数がＮであることを決定することに用いられる請求項８〜１２のいずれか１項に記載の装置。
【請求項１４】
第１端末の制御チャネルと前記第１参照信号との伝送リソースは時分割される請求項８〜１３のいずれか１項に記載の装置。
【請求項１５】
コンピュータ記憶媒体であって、コンピュータ実行可能命令が記憶され、該コンピュータ実行可能命令がプロセッサにより実行されるとき、請求項１〜７のいずれか１項に記載の方法ステップを実現するコンピュータ記憶媒体。
【手続補正２０】
【補正対象書類名】図面
【補正対象項目名】図３
【補正方法】変更
【補正の内容】
【図３】
2021516879.tif 000013
【手続補正２１】
【補正対象書類名】図面
【補正対象項目名】図４
【補正方法】変更
【補正の内容】
【図４】
2021516879.tif 000014
【国際調査報告】
2021516879.tif 000015
2021516879.tif 000016
2021516879.tif 000017
2021516879.tif 000018